(57)【要約】【課題】遊技媒体貸出機内に、事前に付勢する構成を備えた紙幣識別装置を内装することにより、スライド摺動（左右動）して島幅に応じた調節を行うことが出来ると共に、今まで内装した後に行っていたコイルバネの取付け作業をなくすことを可能にした、島幅対応機構を備えた遊技媒体貸出機を提供する。【解決手段】紙幣識別装置の入口付近に備えた付勢する構成（島幅対応機構）は、上下に凹状の係合溝と先端が鉤状に形成された二本の係止爪と円筒状の二本の弾性材装着部と紙幣挿入口とを形成したスライドガイドと、二本の弾性部材と、係止窓と係合部と挿通穴とを形成したスライドロックプレートと、から構成されている。【選択図】      図７
2005087474.tif 000002
【特許請求の範囲】
【請求項１】
遊技台に隣接され、投入された紙幣を識別する紙幣識別装置を備えた遊技媒体貸出機と、上記紙幣識別装置に投入された紙幣を搬送する紙幣搬送装置とを連接し、当該遊技媒体貸出機の背面を紙幣搬送装置に取付ける際、上記遊技媒体貸出機に備えた紙幣識別装置をスライド摺動させ、取付け位置を調節する島幅対応機構を備えた遊技媒体貸出機において、
上記紙幣識別装置の入口付近に備えた島幅対応機構は、係合溝と係止爪と弾性材装着部とを形成したスライドガイドと、弾性部材と、係止窓と係合部とを形成したスライドロックプレートとから成り、
上記スライドガイドの弾性材装着部に上記弾性部材を装着し、該スライドガイドの係合溝にスライドロックプレートの係合部を係合させる共に、該スライドガイドの係止爪がスライドロックプレートの係止窓で係止され、上記スライドロックプレートが弾性部材の付勢力により左右動する、構成としたことを特徴とする島幅対応機構を備えた遊技媒体貸出機。
【発明の詳細な説明】
【技術分野】
【０００１】
本発明は、投入された紙幣を識別する紙幣識別装置を備えた遊技媒体貸出機と、該遊技媒体貸出機の背面に投入された紙幣を搬送する紙幣搬送装置とを連接した遊技島において、遊技媒体貸出機の背面と紙幣搬送装置とを取付ける際、遊技媒体貸出機内に摺動及び付勢する構成を備えた紙幣識別装置を内装し、スライド摺動（左右動）することにより島幅に応じた調節を行うことを可能にした、島幅対応機構を備えた遊技媒体貸出機に関する。
【背景技術】
【０００２】
通常、パチンコ遊技店は、複数台１５台乃至２０台程度の遊技機と遊技媒体貸出機とを隣接して直線状に列設（背中合わせの横方向）させた遊技島が構築されている。上記遊技島は、パチンコ玉にて遊技する遊技機（パチンコ台）であれば、隣接する遊技媒体貸出機は、パチンコ玉貸出機が配設され、メダルにて遊技する遊技機（スロットマシン）であれば、隣接する遊技媒体貸出機は、メダル貸出機が配設されることになる。
昨今、上記遊技島に配設された遊技媒体貸出機は、千円紙幣はもとより、流通している紙幣（二千円紙幣、五千円紙幣、一万円紙幣）による現金にて貸出が出来るようになっている。
さらに、遊技媒体貸出機は現金（千円紙幣等）を使用し、その場でカードを発行するカード発行機能付カードユニットも提供されている。このように紙幣が使用できる遊技媒体貸出機を遊技島に配設すると、投入された紙幣を島端の回収金庫内に搬送するため、遊技島には紙幣搬送装置を備える必要がある。
【０００３】
パチンコ遊技店の遊技島においては、建物の広さ等が異なるため遊技機を背中合わせの横方向に配設した際、遊技媒体貸出機と紙幣搬送装置の背後とに隙間が生じる。また、遊技媒体貸出機と紙幣搬送装置の背後とは遊技島によって異なる。そこで、この隙間や間隔（島幅）を調整する島幅対応機構を備えた遊技媒体貸出機が下記の特許文献に開示されている。
【特許文献１】実開平２−２０５８４号公報
【特許文献２】実開平６−８７３４９号公報
【０００４】
上記特許文献１の構成を記載すれば、
「ケーシング内に、紙幣の良否を識別する紙幣識別機と、この紙幣識別機による識別結果に基づいて硬貨、紙幣、遊技用媒体のうちの少なくとも１つを所定数払出す払出し機構とを設けると共に、前記ケーシングの前面に前記紙幣識別機への紙幣投入口を形成し、かつ、前記ケーシングの背面に前記紙幣識別機にて識別されたうちの紙幣を外部に排出するための紙幣排出口を形成してある遊技用貸出機であって、
前記紙幣識別機を、前記紙幣投入口から投入される紙幣を受取り可能な範囲で前記ケーシングに対して前後方向に位置変更可能に構成した」ものであり、遊技場毎に遊技用貸出機の紙幣投入口と紙幣搬送装置との間隔が異なっても、ケーシングに対して紙幣識別機を前後方向に位置変更操作することによって間隔を常に一定にすることが出来るようにしている。
【０００５】
さらに、特許文献１においては遊技用貸出機の紙幣投入口と、紙幣識別機の紙幣受入口との間隔変化を固定側板部に対する可動側板部の伸縮を吸収するため、引っ張りスプリングを突片に係着した説明も記載されている（公報の第７図参照）。
【０００６】
一方、上記特許文献２の構成を記載すれば、
「紙幣類を搬送する紙幣類搬送装置に紙幣用遊技媒体貸出機を連設した遊技島設備において、紙幣用遊技媒体貸出機の紙幣送出部側面に案内溝部を少なくとも一箇所以上設け、紙幣用遊技媒体貸出機の機体側面に案内凸部を少なくとも一箇所以上機体内側へ突設し、案内凸部の中央部に長穴を穿設し、案内溝部に案内凸部を摺動自在に係合し、長穴に頭部付ピンを挿通して案内溝部の中央部に該ピンの足部を固着することにより、紙幣送出部を機体側面に係着状態で水平方向に摺動自在に形成し、該紙幣送出部を紙幣類搬送装置に当接する構成とした」ものであり、紙幣送出部は、紙幣類搬送装置の側面部に設けられている紙幣受入部に当接されるため、紙幣用遊技媒体貸出機の機体は結果として、前後に摺動することにより、遊技店毎に異なるどの島幅にも対応することが出来るようにしている。
【０００７】
上記特許文献２は、本出願人が先に開示したもので、この構成をメダル貸出機（紙幣識別装置）に採用した実施形態を図１４及び図１５に基づいて説明する。
図１５に示すように、紙幣識別装置５０の紙幣送出部側面の二箇所に案内凹部（不図示）が設けられ、紙幣用遊技媒体貸出機の機体側面（上部フレーム５２）の側面の二箇所に案内凸部５４が設けられている。上記した二箇所の案内凸部５４には長孔５６が各々穿設されている。
上部フレーム内５２に紙幣識別装置５０を内装すると、案内凸部５４と案内凹部とが合致し、長孔５６に頭部付ピン５６ａを固着することにより摺動する構成と成し、また、紙幣識別装置５０の紙幣送出部側面の突片５０ａにコイルバネ５５の一端を、紙幣用遊技媒体貸出機の機体側面の突片５２ａにコイルバネ５５の他端を各々係着することにより付勢する構成と成し、左右方向にスライド摺動する。
よって、紙幣識別装置５０はコイルバネ５５によって常時付勢（上部フレームから後端部が突出状態）され、紙幣識別装置５０の後端部を紙幣搬送装置の紙幣受入部（補助受口）に当接すると、付勢に抗して摺動し、上部フレーム内に紙幣識別装置５０が押し込まれる。
【発明の開示】
【発明が解決しようとする課題】
【０００８】
しかし、上記特許文献２の構成において付勢する構成は、遊技媒体貸出機内（上部フレーム）に紙幣識別装置を内装した後、一本のコイルバネの一端を紙幣送出部側面の突片に、他端を機体側面の突片に係着させていた。このコイルバネを取付ける作業においては、奥部に位置していることから、作業し難く時間を要していた。その結果、組み立て工数（組立費）がかかり、コストアップとなっていた。また、奥部に係着した一本のコイルバネによる付勢のため水平方向に摺動する際、バランスが崩れスムーズに左右動しなかった。なお、上記特許文献１の構成においても同様に引っ張りスプリングを突片に係着させることから、同様の課題を有していた。
【０００９】
本発明は、以上の点に鑑みなされたもので、遊技媒体貸出機内（上部フレーム）に、事前に付勢する構成を備えた紙幣識別装置を内装することにより、スライド摺動（左右動）して島幅に応じた調節を行うことが出来ると共に、今まで内装した後に行っていたコイルバネの取付ける作業をなくすことを可能にした、島幅対応機構を備えた遊技媒体貸出機を提供する。
【課題を解決するための手段】
【００１０】
本発明の構成は、遊技台に隣接され、投入された紙幣を識別する紙幣識別装置を備えた遊技媒体貸出機と、上記紙幣識別装置に投入された紙幣を搬送する紙幣搬送装置とを連接し、当該遊技媒体貸出機の背面を紙幣搬送装置に取付ける際、上記遊技媒体貸出機に備えた紙幣識別装置をスライド摺動させ、取付け位置を調節する島幅対応機構を備えた遊技媒体貸出機において、
上記紙幣識別装置の入口付近に備えた島幅対応機構は、係合溝と係止爪と弾性材装着部とを形成したスライドガイドと、弾性部材と、係止窓と係合部とを形成したスライドロックプレートとから成り、
上記スライドガイドの弾性材装着部に上記弾性部材を装着し、該スライドガイドの係合溝にスライドロックプレートの係合部を係合させる共に、該スライドガイドの係止爪がスライドロックプレートの係止窓で係止され、上記スライドロックプレートが弾性部材の付勢力により左右動する、構成としたことによって達成される。
【発明の効果】
【００１１】
本発明の構成によれば、上部フレームに内装された紙幣識別装置は、摺動する構成及び付勢する構成の島幅対応機構が備えられている。
上記島幅対応機構の摺動する構成により、遊技島において異なる島幅であってもスライド摺動（左右動）して島幅に応じた調節を行うことが出来る。
また、上記摺動時における付勢する構成は、遊技媒体貸出機内（上部フレーム）に、内装する紙幣識別装置の入口付近に事前に取付けることが出来る。
【００１２】
よって、今まで付勢する構成は、コイルバネの一端を紙幣送出部側面の突片に、他端を機体側面の突片に係着させるという面倒な作業は、紙幣識別装置を内装した後に行っていたが、本発明により、内装する前（事前）に紙幣識別装置の入口付近に付勢する構成を取付けることによって、面倒な作業がなくなり、短時間で組立てることが出来るため組立て費用が低減し、製品のコストダウンを図ることが出来る。また、スライドガイドに装着したスライドロックプレートは、中央付近の弾性材装着部に嵌挿した二本の弾性部材による付勢力によって均等に左右動することが出来る。
【発明を実施するための最良の形態】
【００１３】
以下、図面に示した実施形態を詳細に説明する。図１は本発明の遊技台と遊技媒体貸出機とを配設した遊技島を示す斜視図であり、図２は上部フレームに紙幣識別装置を装着した状態を示す外観正面図であり、図３は同上図２の外観斜視図である。
【実施例１】
【００１４】
始めに、図１に基づいて遊技島に配設された各遊技設備について説明する。
遊技島１には、複数台（１５台乃至２０台）の遊技台２と遊技媒体貸出機８とが隣接して配設されている。なお、この遊技島の裏側にも同様の遊技台及び遊技媒体貸出機含む各遊技設備が備えられている（不図示）。なお、図１の遊技島においては、３台の遊技台２と遊技媒体貸出機８とが配設された略図である。
【００１５】
ここでの遊技台２はスロットマシンが例示され、該スロットマシンの場合、隣接する遊技媒体貸出機８はメダル貸出機（以下、メダル貸出機と称す）が配設されることになる。なお、図示していないが、遊技台２がパチンコ台の場合、隣接する遊技媒体貸出機は、パチンコ玉貸出機が配設されることになる。なお、スロットマシンの構成と操作は周知なので、説明は省略する。
メダル貸出機８は、スロットマシン２に隣接して配設され、貸出機本体部８ａの内部にメダル払出し装置（不図示）と、払出し口８ｂとが備えられている。なお、ここでの説明は、メダル貸出機８とするが、この構成に限定されるものでない。
【００１６】
メダル貸出機８は、上部パネル５に紙幣投入口５ａを設けた上部フレーム６と、貸出機本体部８ａとが別体に構成されている。該上部パネル５の紙幣投入口５ａに投入された紙幣は、遊技台２の上方の前面側の取付け板（例えば、ランプ板）に外付けで取付けられた紙幣搬送ユニット９ａを連結した紙幣搬送装置９によって島端側へと搬送されていく。上部フレーム６内には後述する紙幣識別装置１０が備えられ、例えば、投入した紙幣（千円紙幣）が正紙幣と識別されると、メダル払出し装置から払出し口８ｂにメダル（５０枚）が貸出される。
上記した紙幣搬送装置９は、ユニット形態から成る紙幣搬送ユニット９ａから構成され、複数台連結することにより、紙幣搬送装置９となり島端の島ホスト４内の回収金庫（不図示）へと紙幣を搬送し、回収することが出来る。なお、各紙幣搬送ユニット９ａの紙幣搬送部の前側には呼び出しランプ３が取付けられている。上記上部フレーム６内に備えた紙幣識別装置１０の後端と紙幣搬送装置９（補助受口等）とは、当接して隙間が生じないように配置されている。なお、ここでの紙幣搬送装置９は、ユニット形態から成る紙幣搬送ユニット９ａの構成としたが、これに限定するものでない。
【００１７】
次に、メダル貸出機８の上部に備えた上部フレーム６内に紙幣識別装置１０を取付ける状態（内装）を説明する。
上部フレーム６は、上面、底面、側面（側壁面）を有するコの字状と成し、前面に合成樹脂等から形成した上部パネル５が固着される。上部パネル５には縦型の湾曲凹状に形成した紙幣投入口５ａが設けられ、該紙幣投入口５ａと後述する摺動する構成及び付勢する構成の島幅対応機構を挟んで紙幣識別装置１０が取付けられる。紙幣識別装置１０の識別本体部１１の入口寄り（一端）には上下に識別開閉部１２を開放する際、操作する開閉操作具１２ａが設けられている。
【００１８】
本発明の上部フレーム内の紙幣識別装置には、摺動する構成及び付勢する構成の島幅対応機構が備えられている。
始めに、本発明の上部フレーム６内の紙幣識別装置１０に備えた摺動する構成について説明する。
図４乃至図５に示すように、上部フレーム６のコの字状に形成された側面の中央付近には、案内凸部７が二箇所、間隔をおいて水平位置に設けられている。該案内凸部７には長孔７ａが穿設されている。紙幣識別装置１０の識別本体部１１の一方側の側面の中央付近には、案内凹部１１ｂが二箇所、間隔をおいて水平位置に設けられている。該案内凹部１１ｂには螺子孔が設けられている。
上記した上部フレーム６内に紙幣識別装置１０を内装すると、二箇所の案内凹部１１ｂに、二箇所の案内凸部７とが同じ位置のため合致し、二箇所の案内凸部７の長孔７ａに各々頭部付ピン７ｂを挿通し、螺子止めして取付けることが出来る。このように上部フレーム６内に取付けられた紙幣識別装置１０は、この長孔７ａの長さ分だけ水平方向に摺動（摺動する範囲）することになる。ここでの摺動する構成の説明は従来の特許文献２の構成と略同じであるが、以下で説明する付勢の構成が異なる。
【００１９】
次に、本発明の紙幣識別装置１０に備えた付勢する構成について説明する。
紙幣識別装置１０の入口付近（先端）には、付勢する構成の島幅対応機構が備えられている。図７は島幅対応機構（付勢する構成）を分解した状態を示す紙幣識別装置の正面図であり、図８は同上斜視図である。
付勢する構成の島幅対応機構は、上下に凹状の係合溝１５ｃと先端が鉤状に形成された二本の係止爪１５ｄと円筒状の二本の弾性材装着部１５ｅと支持部１５ｇに開口した紙幣挿入口１５ｂとから一体成形したスライドガイド１５と、上下にＬ字状の係合部２０ａと開口した係止窓２０ｂと、裏面の二箇所の挿通孔２０ｃとから一体成形したスライドロックプレート２０と、二本の弾性部材２５とをスライドするように組み込んで構成され、識別本体部１１の取付部１１ａに螺子にて固定される。
【００２０】
スライドガイド１５は、上下に凹状の係合溝１５ｃと、先端が鉤状に形成された二本の係止爪１５ｄと、円筒状の二本の弾性材装着部１５ｅと、支持部１５ｇに開口した細幅の紙幣挿入口１５ｂとを設け、例えばＡＢＳ樹脂材等で一体成型（成型品）されたものである。このようにスライドガイド１５の各部品を一体成型することにより、コスト低減となる。
また、支持部１５ｇの両端側の突片には取付孔１５ａが穿設され、該取付孔１５ａの突片を延長して支持部１５ｇを形成し、この支持部１５ｇに紙幣挿入口１５ｂが形成されている。該紙幣挿入口１５ｂは上記上部フレーム６の紙幣投入口５ａに連接し、起立した紙幣が通過できる大きさの細幅に形成されている（図６参照）。また、紙幣挿入口１５ｂの両端の一端側には間隔をおいて短小凸部１５ｈが複数個形成され、この短小凸部１５ｈは識別本体部１１の先端の複数個の凹部とが係合するようになっている。
さらに紙幣挿入口１５ｂの他端側の両端には長目凸部１５ｉが形成されている。両端に設けた長目凸部１５ｉは紙幣を案内する役目を行うと共に、片側の長目凸部１５ｉの上下にはコの字状の係合溝１５ｃが形成されている。なお、片側のコの字状の係合溝１５ｃは上下のみ形成され、中央の二個の長目凸部１５ｉには係合溝１５ｃは形成されず、他端の長目凸部１５ｉにも係合溝１５ｃは形成されていない。
【００２１】
上下の長目凸部１５ｉに設けた係合溝１５ｃは、後述するスライドロックプレート２０の係合部２０ａと係合して水平方向にスライドする。
上下の係合溝１５ｃを形成した長目凸部１５ｉの内寄りには、係止爪１５ｄが二本間隔を空けて形成されている。該両方の係止爪１５ｄは、先端が鉤状に形成され後述するスライドロックプレート２０の両方の係止窓２０ｂ内をスライドするよう各々係合されている。また、両方の係止爪１５ｄの間には、間隔を空けて弾性材装着部１５ｅが二本、形成されている。該弾性材装着部１５ｅは、円筒形の棒状から形成され、後述する二本の弾性部材２５が装挿される。上記した弾性材装着部１５ｅは、弾性部材２５より径小であり、短い長さに形成されている。
上記説明した上下の係合溝１５ｃ、両方の係止爪１５ｄ、二本の弾性材装着部１５ｅの一端側は支持部１５ｇに支持固定され、ＡＢＳ樹脂材等から成型されているため、両方の係止爪１５ｄの他端側は弾性力を有している。この弾性力により、両方の係止爪１５ｄが両方の係止窓２０ｂに係止されることになり、外れることがない。
【００２２】
二本の弾性部材２５は、後述するスライドロックプレート２０のスライド（左右動）する作用に付勢させるもので、例えば、円筒形のコイルスプリングから形成されている。弾性部材２５は、上記した弾性材装着部１５ｅの径より、やや径大と成し、幾分長い長さを有している。弾性材装着部１５ｅの一端側には半円壁が形成され、この半円壁（ストッパーの役割）にて弾性部材２５の一端が停止される。
【００２３】
スライドロックプレート２０は、外観形状が略長方形と成り、上下両端の係合部２０ａと、開口した係止窓２０ｂと、裏面の挿通孔２０ｃとから成り、例えばＡＢＳ樹脂材等で一体成型（成型品）されたものである。
スライドロックプレート２０の上下両端の係合部２０ａは、上記したスライドガイド１５の係合溝１５ｃに係合するようにＬ字状に形成され、係合部２０ａに隣接した位置の係止窓２０ｂは上記したスライドガイド１５の両方の係止爪１５ｄが係止するように開口した長方形状に形成されている。上記係止爪１５ｄは、この長方形状の係止窓２０ｂの一端にて係止され、二本の弾性部材２５の付勢によりスライド移動する。また、スライドロックプレート２０の裏面には、上記スライドガイド１５の弾性材装着部１５ｅが挿通する二個の挿通穴２０ｃがスライドガイド１５の弾性材装着部１５ｅと同じ位置の壁に、少し大きめの穴径に穿設されている。該挿通穴２０ｃの壁の両端にはスライド方向に凹湾曲部２０ｄが形成されている（凹湾曲部は弾性部材の逃げ）。上記したスライドガイド１５の二個の弾性材装着部１５ｅに、二個の挿通穴２０ｃが挿通することにより、弾性材装着部１５ｅがスライドする際の案内補助となる。
なお、図示しないが、外観形状が少し異なるスライドロックプレート２０のみ交換することにより、多機種（例えば、紙幣台間玉貸出機やカード発行機能付カードユニット等に内装した紙幣識別装置）にも転用することが出来る。
【００２４】
次に、上記した構成を組み込み、付勢する構成の作用を説明する。
紙幣識別装置１０の識別本体部１１の取付部１１ａと、スライドガイド１５の突片状の取付孔１５ａとを合致させ、取付部１１ａと取付孔１５ａとを螺子にて固着する。
スライドガイド１５の二個の弾性材装着部１５ｅに、二本の弾性部材２５を装挿する共にスライドロックプレート２０を装着する。
装着するにあたっては、スライドガイド１５の両端の係合溝１５ｃに、スライドロックプレート２０の両端に形成したＬ字状の係合部２０ａに係合させ、さらにスライドガイド１５の両方の係止爪１５ｄをスライドロックプレート２０の開口した係止窓２０ｂの一端に係止させる。スライドガイド１５に装着されたスライドロックプレート２０は、上記した係合によりスライド摺動（左右動）するように成し、二本の弾性部材２５の付勢によって、スライドロックプレート２０が常時伸びた位置にて係止させている。そして、スライドロックプレート２０の先端が上部パネル５の内壁凸部に当接している（図１２参照）。また、上記したスライドガイド１５に装着したスライドロックプレート２０は、中央付近の弾性材装着部１５ｅに嵌挿した二本の弾性部材２５の付勢力によって均等に左右動する。
【００２５】
次に、上記紙幣識別装置１０の識別本体部１１を上部フレーム６に内装し、外部機器（例えば、紙幣搬送装置の補助受口等）に当接する操作について説明する。
遊技店の遊技島１においては、遊技媒体貸出機８を設置する際、島幅が異なる場合が生じる。このような時、本発明の島幅対応機構（摺動する構成及び付勢する構成）を備えた紙幣識別装置１０を遊技媒体貸出機８に内装することによって、対処することが出来るようにしている。
図１１は紙幣搬送装置９の補助受口等に当接させ、装着した後の状態を示している。図１２は紙幣搬送装置９の補助受口等から外し、装着する前の状態を示している。
このように装着前の状態においては紙幣識別装置１０の識別本体部１１の後端が、付勢力に抗して上部フレーム６から幾分突出している。装着にあたっては、弾性部材２５によって付勢されているスライドロックプレート２０の先端側を上部パネル５の内壁凸部に当接するように装着すると、紙幣識別装置１０の識別本体部１１がスムーズにスライドして、島幅の隙間を吸収することにより、異なるどの島幅にも取付けることが出来る。
また、上記した構成により、従来は、遊技媒体貸出機８内に紙幣識別装置１０を内装した後、行っていた付勢する構成のコイルバネの取付け作業を、本発明においては内装する紙幣識別装置１０の入口付近に付勢する構成を事前に取付けておくことが出来る。
【００２６】
次に、本発明の紙幣識別装置１０の内部構成について説明する。なお、ここでの紙幣識別装置１０の内部構成に限定されるものでない。
図１３に示すように紙幣識別装置１０は、識別本体部１１側に設けた識別部と、識別開閉部１２側に設けた識別部とから構成されている。なお、識別開閉部１２は出口寄りの軸に軸支され、入口寄りの上下に設けた開閉操作具１２ａを操作することによって開閉する。
【００２７】
先ず、識別本体部１１側の識別部（各種センサ類、搬送ベルト等）について説明する。
識別本体部１１は、例えばＡＢＳ樹脂材等から一体成型（成型品）されたもので内部に回路基板（制御基盤）が装着され、該回路基板は背面の背面板（不図示）にて取付けられる。
識別本体部１１の一方の側面内部に駆動モータ（不図示）が組み込まれている。該駆動モータの駆動は駆動機構（不図示、駆動歯車と駆動ベルト等）を介して出口側の駆動プーリーに伝達される。出口側の駆動プーリーと入口側のテンションプーリーには、各々二本の搬送ベルト１１ｆが掛け渡されている。なお、各々搬送ベルト１１ｆは識別本体部１１の搬送路に沿って延びるベルト窓に掛け渡され、投入された紙幣を出口側まで搬送している。
【００２８】
識別本体部１１は入口付近に、一方に発光素子、他方に受光素子を配置した透過センサ１１ｃが設置され、穴から発光素子の光を搬送路へ照射し、穴を通して受光素子が光を受光して電気信号に変換し、受光状態の変化により紙幣の先端または後端を検出する。この透過センサ１１ｃ（紙幣検知センサ）は、紙幣が投入されたことを検知する働きを行う。
透過センサ１１ｃから幾分離れた位置に二個の磁気センサ１１ｄが両側寄りに配置されている。搬送路の穴から磁気センサ１１ｄの上面だけ突出するように設置される。この磁気センサ１１ｄと同じ位置の識別開閉部１２に設けたテンションプーリー１２ｅによって紙幣が押圧される。この磁気センサ１１ｄは、識別用として紙幣に付着された磁性体の磁気の位置を検知する働きを行う。
さらに磁気センサ１１ｄに隣接して複数個の反射型センサ１１ｅが配置されている。搬送路の穴から反射センサ１１ｅを搬送路へ照射し、通過する紙幣から反射光を受光するようになっている。この反射センサ１１ｅは、紙幣の絵柄の印刷模様（透かしの位置等）を検知し、印刷模様に対応した電気信号を出力する働きを行う。
【００２９】
次に、識別開閉部１２側の識別部について説明する。
識別開閉部１２も識別本体部１１と同じく、例えばＡＢＳ樹脂材等から一体成型（成型品）され、正面側に開閉操作具１２ａと、裏面側に識別部（引抜き防止レバー、レバースイッチ等）とが取付けられている。
識別開閉部１２には、上記した識別本体部１１の搬送路に掛け渡した搬送ベルト１１ｆと同じ位置の入口、出口付近に間隔をおいて複数個の各テンションプーリー１２ｅが配置されている。この複数個のテンションプーリー１２ｅの一部分が穴から突出しており、紙幣を押圧するようにバネ（不図示）にて軸支されている。識別本体部１１に配置した複数個の反射センサ１１ｅと同じ個数と位置の穴に着脱自在で円筒状から成した参照反射部１２ｂが配置されている。該参照反射部１２ｂは、白色系統の樹脂材から成型されたものである。参照反射部１２ｂは、５０％以上の反射率を有する。
さらに、識別開閉部１２の中央部位に引抜き防止レバー１２ｃが、幾分離れた位置に紙幣検知レバー１２ｄ（紙幣通過検知センサ）がそれぞれ出没自在（可倒式のアクチェータ）に配置されている。
引抜き防止レバー１２ｃは、搬送されてきた紙幣の先端で倒され、出口方向への紙幣の移動を許し、紙幣が通過すると起立姿勢に戻って、紙幣が入口側に引き抜くという不正を防止している。紙幣検知レバー１２ｄは、紙幣通過を検知して、出口から紙幣が送出されたことを検知している。
【００３０】
上記した紙幣識別装置１０は、以下のように識別作用する。
回路基板のＣＰＵは、識別本体部１１及び識別開閉部１２に配置した各識別部を統括制御するように関連付けて接続されている。
ＣＰＵは、透過センサ１１ｃからの信号で紙幣の投入を検知すると、駆動機構が駆動して紙幣を取り込み、透過センサ１１ｃが紙幣の先端を検知したとき反射センサ１１ｅ、磁気センサ１１ｄによる紙幣の走査を開始して、反射センサ１１ｅ、磁気センサ１１ｄからの電気信号を出力パターンとしてＣＰＵの内蔵のメモリに一時記憶する。なお、透過センサ１１ｃが紙幣の後端を検知したとき走査を完了し、紙幣が搬送路内に留めて紙幣が正か、否かの識別をする。
そして、正と識別した場合、駆動機構の駆動を再開して紙幣を出口方向へ送出し、紙幣検知レバー１２ｄにて紙幣の通過を検知したとき、駆動機構が停止する。このように正と紙幣と識別されると、メダル払出し装置から払出し口８ｂにメダルが貸出される。なお、偽と識別した場合は、駆動機構が逆転し、紙幣投入口５ａに返却される。
【図面の簡単な説明】
【００３１】
【図１】本発明の遊技台と遊技媒体貸出機とを配設した遊技島を示す斜視図である。
【図２】上部フレームに紙幣識別装置を装着した状態を示す外観正面図である。
【図３】上部フレームに紙幣識別装置を装着した状態を示す外観斜視図である。
【図４】上部フレームに紙幣識別装置を装着し、摺動する構成を示す斜視図である。
【図５】上部フレームから紙幣識別装置を外した状態を示す斜視図である。
【図６】上部フレームに装着した紙幣識別装置の側面を示す側面図である。
【図７】島幅対応機構（付勢する構成）を分解した状態を示す紙幣識別装置の正面図である。
【図８】同上の斜視図である。
【図９】島幅対応機構の各構成部分を示す斜視図である。
【図１０】同上の背面斜視図である。
【図１１】紙幣識別装置の後端と機器とが当接した装着後の状態を示す正面図ある。
【図１２】紙幣識別装置の後端が機器から離間した装着前の状態を示す正面図ある。
【図１３】本発明の紙幣識別装置の内部構成を示す斜視図である。
【図１４】従来例を示す正面図である。
【図１５】従来例を示す斜視図である。
【符号の説明】
【００３２】
１      遊技台      
８      遊技媒体貸出機
１０    紙幣識別装置
１１    識別本体部
１２    識別開閉部
１５    スライドガイド
１５ｃ  係合溝
１５ｄ  係止爪
１５ｅ  弾性材装着部
２０    スライドロックプレート
２０ａ  係合部
２０ｂ  係止窓
２５    弾性部材
【図１】
2005087474.tif 000003
【図２】
2005087474.tif 000004
【図３】
2005087474.tif 000005
【図４】
2005087474.tif 000006
【図５】
2005087474.tif 000007
【図６】
2005087474.tif 000008
【図７】
2005087474.tif 000009
【図８】
2005087474.tif 000010
【図９】
2005087474.tif 000011
【図１０】
2005087474.tif 000012
【図１１】
2005087474.tif 000013
【図１２】
2005087474.tif 000014
【図１３】
2005087474.tif 000015
【図１４】
2005087474.tif 000016
【図１５】
2005087474.tif 000017